(57)【要約】      （修正有）【課題】旅行かばんを提供する。【解決手段】旅行かばんは第一シェル、第二シェル、二つのフック金具３０および連動式錠４０を備える。二つのフック金具３０は第一シェルに配置される。連動式錠４０はハウジング４１、シリンダー４３、回転体、二つの連結ユニットおよび二つ桿状部を有する。ハウジング４１は第二シェルに配置され、二つの穿孔４１５を有する。二つのフック金具３０はハウジング４１の二つの穿孔４１５に入り込む。二つの桿状部は自由端に嵌合部を有する。シリンダー４３が回転体とともに回転する際、二つの連結ユニットの作動に伴って二つの桿状部を相互に接近させたり、分離させたりすることによって二つの桿状部の嵌合部と二つのフック金具３０とを嵌合状態に維持したり、嵌合状態から解放したりすることができる。上述した手段により、シリンダー４３を回転させれば、旅行かばんが開くため、手間を省き、操作の便をはかることができる。【選択図】図２
0003205889.tif 000002
【実用新案登録請求の範囲】
【請求項１】
第一シェル、第二シェル、二つのフック金具および連動式錠を備え、
前記第二シェルと前記第一シェルとは、合わさり、収納空間を形成し、
二つの前記フック金具は、前記第一シェルに配置され、
前記連動式錠は、ハウジング、シリンダー、回転体、二つの連結ユニットおよび二つ桿状部を有し、
前記ハウジングは前記第二シェルに配置され、内部空間と、前記内部空間および外部に繋がる二つの穿孔とを有し、二つの前記フック金具は前記穿孔に入り込み、
前記シリンダーは、前記ハウジング内に装着され、外側端部および内側端部を有し、前記外側端部は前記ハウジングおよび前記第二シェルの外部に露出し、前記内側端部は前記ハウジングの前記内部空間に据えられ、
前記回転体は、前記シリンダーの前記内側端部に接続され、それとともに回転し、二つの前記連結ユニットは、前記回転体に接続され、
二つの前記桿状部は、前記ハウジングの前記内部空間に据えられ、二つの前記連結ユニットに接続され、かつ自由端に嵌合部を有し、
前記シリンダーが前記回転体とともに回転する際、二つの前記連結ユニットの作動に伴って二つの前記桿状部を相互に接近させたり、分離させたりすることによって二つの前記桿状部の前記嵌合部と二つの前記フック金具とを嵌合状態に維持したり、嵌合状態から解放したりすることができることを特徴とする旅行かばん。
【請求項２】
二つの前記フック金具は、開口部が相対する欠け口を有し、二つの前記桿状部の前記嵌合部は前記欠け口に入り込むことを特徴とする請求項１に記載の旅行かばん。
【請求項３】
さらに番号錠を備え、
前記番号錠は、前記ハウジングに配置され、前記番号錠がロックされると、前記シリンダーが回転できなくなり、前記番号錠が解錠されると、前記シリンダーが回転できることを特徴とする請求項１に記載の旅行かばん。
【請求項４】
前記番号錠は、複数の番号ホイール、旋転ユニット、第一弾性ユニット、係止機構および第二弾性ユニットを有し、
複数の前記番号ホイールは、前記ハウジングに旋転可能に装着され、
前記旋転ユニットは、前記ハウジングの前記内部空間に配置され、
前記第一弾性ユニットは、前記旋転ユニットと前記ハウジングの内壁との間に配置され、
前記係止機構は、前記ハウジングの前記内部空間に移動可能に配置され、
前記第二弾性ユニットは、前記係止機構と前記ハウジングの内壁との間に配置され、
前記シリンダーは、さらに突起辺部を有し、
前記シリンダーが回転する際、前記係止機構は前記突起辺部に押し付けられることで前記第二弾性ユニットの弾力に反発し、移動することができ、前記第一弾性ユニットは弾力によって前記旋転ユニットを前記番号ホイールに当接させ
前記番号ホイールがロック位置に据えられる際、前記旋転ユニットと前記係止機構とは相互に嵌合されるため、前記係止機構は移動できなくなり、前記番号ホイールが解錠位置に据えられる際、前記旋転ユニットと前記係止機構とは分離するため、前記係止機構は移動制限が解除されることを特徴とする請求項３に記載の旅行かばん。
【請求項５】
前記番号ホイールは、欠け口を有し、前記旋転ユニットは凸状部を有し、
前記番号ホイールが解錠位置に据えられる際、前記旋転ユニットは前記第一弾性ユニットに押し付けられ、前記凸状部を前記番号ホイールの前記欠け口に入り込ませることを特徴とする請求項４に記載の旅行かばん。
【請求項６】
前記係止機構は、凹状部を有し、
前記旋転ユニットと前記係止機構が相互に嵌合される際、前記旋転ユニットは自由端が前記係止機構の前記凹状部に入り込むことを特徴とする請求項４に記載の旅行かばん。
【請求項７】
前記係止機構は、さらに横延長部を有し、前記横延長部は前記シリンダーの前記突起辺部に当接することを特徴とする請求項４に記載の旅行かばん。
【請求項８】
前記連動式錠は、さらに回転つまみを有し、前記回転つまみは前記シリンダーの前記外側端部に接続され、それとともに回転することを特徴とする請求項１に記載の旅行かばん。
【考案の詳細な説明】
【技術分野】
【０００１】
本考案は、旅行かばん、特に開閉が楽な旅行かばんに関するものである。
【背景技術】
【０００２】
多くの市販の旅行かばんに付いている鍵は、ダイヤル錠、シリンダー錠などの種類があり、荷物の安全を守ることが目的である。荷物の紛失および盗難を防止するため、常にロック状態に維持される鍵を解錠する際、同時に旅行かばんの外側の二つのロックを両手で解除しなければ開けることができない。つまり、一つのロックが解除されていてももう一つのロックがまだ解除されなければ、旅行かばんは依然として開かない。旅行かばんを開けるためにはもう一つのロックを解除する手間は免れないが、荷物で手がふさがっているか子供を抱いているとき、または手が不自由な人にとってこのような旅行かばんは使いにくい。
【考案の概要】
【考案が解決しようとする課題】
【０００３】
本考案は、開閉が楽で手間を省き、操作の便をはかることができる旅行かばんを提供することを主な目的とする。
【課題を解決するための手段】
【０００４】
上述した課題を解決するため、旅行かばんは第一シェル、第二シェル、二つのフック金具および連動式錠を備える。第二シェルと第一シェルとは合わさり、収納空間を形成する。二つのフック金具は第一シェルに配置される。連動式錠はハウジング、シリンダー、回転体、二つの連結ユニットおよび二つ桿状部を有する。ハウジングは第二シェルに配置され、内部空間と、内部空間および外部に繋がる二つの穿孔とを有する。二つのフック金具はハウジングの穿孔に入り込む。シリンダーはハウジング内に装着され、外側端部および内側端部を有する。外側端部はハウジングおよび第二シェルの外部に露出する。内側端部はハウジングの内部空間に据えられる。回転体はシリンダーの内側端部に接続され、それとともに回転する。二つの連結ユニットは回転体に接続される。二つの桿状部はハウジングの内部空間に据えられ、二つの連結ユニットに接続され、かつ自由端に嵌合部を有する。シリンダーが回転体とともに回転する際、二つの連結ユニットの作動に伴って二つの桿状部を相互に接近させたり、分離させたりすることによって二つの桿状部の嵌合部と二つのフック金具とを嵌合状態に維持したり、嵌合状態から解放したりすることができる。
【０００５】
シリンダーを回転させれば、二つの桿状部の嵌合部と二つのフック金具は嵌合状態を解除できるため、従来の旅行かばんと比べて、手間を省き、操作の便をはかることができる。
【図面の簡単な説明】
【０００６】
【図１】本考案の第１実施形態による旅行かばんを示す斜視図である。
【図２】本考案の第１実施形態による旅行かばんにおいてのフック金具および連動式錠を示す斜視図である。
【図３】本考案の第１実施形態による旅行かばんにおいての連動式錠を示す分解斜視図である。
【図４】本考案の第１実施形態による旅行かばんにおいての連動式錠の一部分を示す正面図である。
【図５】本考案の第１実施形態による旅行かばんにおいての連動式錠の一部分を示す斜視図である。
【図６】本考案の第１実施形態による旅行かばんにおいての連動式錠の一部分を示す背面図である。
【図７】本考案の第１実施形態による旅行かばんにおいての連動式錠の一部分を示す背面図である。
【図８】本考案の第１実施形態による旅行かばんにおいての番号錠および係止機構を示す斜視図である。
【図９】本考案の第１実施形態による旅行かばんにおいての係止機構を示す斜視図である。
【考案を実施するための形態】
【０００７】
（第１実施形態）
図１に示すように、本考案の第１実施形態による旅行かばん１は、第一シェル１０、第二シェル２０、二つのフック金具３０、連動式錠４０、番号錠５０およびハンドル６０を備える。
【０００８】
第二シェル２０と第一シェル１０とは合わさり、収納空間１２を形成する。
【０００９】
図２に示すように、二つのフック金具３０は、相互に所定の間隔を置いて第一シェル１０の外側辺部に配置され、それぞれ欠け口３２を有し、二つの欠け口３２の開口部３４が相対する。
【００１０】
図３から図５に示すように、連動式錠４０は、ハウジング４１、シリンダー４３、回転体４５、二つの連結ユニット４７、二つ桿状部４８および回転つまみ４９を有する。ハウジング４１は第二シェル２０に配置され、外側筐体４１１および内側筐体４１２から構成され、内部空間４１３、二つの穿孔４１５および三つの貫通孔４１７を有する。ハンドル６０は外側筐体４１１に装着される。二つの穿孔４１５は内側筐体４１２に形成され、内部空間４１３および外部に繋がる。二つのフック金具３０はハウジング４１の穿孔４１５に入り込む。三つの貫通孔４１７は外側筐体４１１に形成される。番号錠５０は一部分がハウジング４１の三つの貫通孔４１７に突出するように装着される。シリンダー４３はハウジング４１内に装着され、外側端部４３１、内側端部４３３および突起辺部４３５を有する。外側端部４３１はハウジング４１の外側筐体４１１および第二シェル２０の外部に露出する。内側端部４３３はハウジング４１の内部空間４１３に据えられる。突起辺部４３５は外側端部４３１と内側端部４３３との間に形成される。回転体４５はシリンダー４３の内側端部４３３に接続されることでシリンダー４３とともに回転する。二つの連結ユニット４７は回転体４５に接続される。二つの桿状部４８はハウジング４１の内部空間４１３に据えられ、二つの連結ユニット４７に接続され、かつ自由端に嵌合部４８１を有する。二つの桿状部４８の嵌合部４８１は二つのフック金具３０の欠け口３２に入り込む。回転つまみ４９はシリンダー４３の外側端部４３１に接続されることでシリンダー４３とともに回転する。シリンダー４３が回転体４５とともに回転する際、二つの連結ユニット４７の作動に伴って二つの桿状部４８を相互に接近させたり、分離させたりすることによって二つの桿状部４８の二つの嵌合部４８１と二つのフック金具３０とを嵌合状態に維持したり、嵌合状態から解放したりすることができる。
【００１１】
番号錠５０は、ハウジング４１に装着される。番号錠５０がロックされると、シリンダー４３が回転できない。番号錠５０が解錠されると、シリンダー４３が回転できる。続いて、番号錠５０とシリンダー４３との関係および作動を図面によって説明する。本実施形態において、番号錠５０は三つの番号ホイール５１、旋転ユニット５２、第一弾性ユニット５３、係止機構５４および第二弾性ユニット５５を有する。三つの番号ホイール５１はハウジング４１に旋転可能に装着される。旋転ユニット５２はハウジング４１の内部空間４１３に配置される。第一弾性ユニット５３は図８に示すように旋転ユニット５２とハウジング４１の内壁との間に配置される。係止機構５４は図４中の左方向に沿って移動できるようにハウジング４１の内部空間４１３に配置される。第二弾性ユニット５５は係止機構５４とハウジング４１の内壁との間に配置されることで係止機構５４を図４中の右方向に向かって移動させる。三つの番号ホイール５１はそれぞれ欠け口５１１を有する。旋転ユニット５２は凸状部５２１を有する。凸状部５２１は番号ホイール５１の欠け口５１１に入り込む。図９に示すように、係止機構５４は凹状部５４１及び横延長部５４３を有する。凹状部５４１は開口部が旋転ユニット５２に相対する。横延長部５４３はシリンダー４３の突起辺部４３５に当接する。別の実施形態において、番号ホイール５１は実際のニーズに応じて数が変わってもよい。
【００１２】
番号錠５０がロックされる、即ち番号ホイール５１が施錠位置まで回転する際、旋転ユニット５２の凸状部５２１は番号ホイール５１の欠け口５１１以外の部位の圧迫力を受けて第一弾性ユニット５３の弾力に反発し、下向きに旋転する。このとき旋転ユニット５２の自由端は係止機構５４の凹状部５４１に入り込み、旋転ユニット５２と係止機構５４とを嵌め合わせるため、係止機構５４は移動できない。一方、シリンダー４３の突起辺部４３５は係止機構５４の横延長部５４３に妨害されるため、シリンダー４３は回転できない。
【００１３】
番号錠５０が解錠される、即ち番号ホイール５１が解錠位置まで回転する際、図８に示すように、旋転ユニット５２の凸状部５２１は第一弾性ユニット５３の弾力によって番号ホイール５１の欠け口５１１に入り込むため、旋転ユニット５２は係止機構５４の凹状部５４１から逸脱し、係止機構５４の移動制限を解除する。このときシリンダー４３は回転できる。
【００１４】
図４および図６に示すように、回転つまみ４９が回転する前、連動式錠４０の二つの桿状部４８の嵌合部４８１と二つフック金具３０とは嵌合状態に維持される。図４に示すように、回転つまみ４９を回転させ、シリンダー４３を逆時計回りに回転させる際、シリンダー４３の突起辺部４３５は係止機構５４の横延長部５４３に当接するため、係止機構５４は第二弾性ユニット５５の弾力に反発し、左方向に移動することができる。図７に示すように、回転体４５がシリンダー４３とともに回転する際、二つの桿状部４８は二つの連結ユニット４７の作動によって相互に接近し、嵌合部４８１を二つのフック金具３０の欠け口３２から逸脱させ、嵌合部４８１と二つのフック金具３０とを分離させる。このとき第一シェル１０または第二シェル２０を開けることができる。回転つまみ４９が反対方向に回転し、シリンダー４３を時計回りに回転させ、図４に示した位置に据える際、係止機構５４は第二弾性ユニット５５の弾力によって右方向に移動する。同時に、回転体４５がシリンダー４３とともに回転する際、二つの桿状部４８は二つの連結ユニット４７の作動によって分離し、嵌合部４８１を二つのフック金具３０の欠け口３２に入り込ませ、図６に示すように嵌合部４８１と二つのフック金具３０とを嵌め合わせるため、第一シェル１０または第二シェル２０を開けることはできない。このとき番号ホイール５１を施錠位置まで回転させる、即ち番号錠５０をロックすると、シリンダー４３は回転できなくなる。
【００１５】
それに対し、番号錠５０が解錠された場合、回転つまみ４９とともにシリンダー４３を回転させれば、同時に二つのフック金具３０を嵌合状態から解放し、旅行かばん１を開けることができるため、従来の旅行かばんと比べて、本考案による旅行かばん１は手間を省き、操作の便をはかることができる。
【００１６】
本考案の精神に基づいて実際のニーズに応じて旅行かばん１の構造を変えることができる。別の実施形態において、二つのフック金具３０の欠け口３２は相互に背くように形成されてもよい。二つの桿状部４８が相互に接近すれば、二つの桿状部４８の嵌合部４８１と二つのフック金具３０とを嵌め合わせることができる。旅行かばん１の番号錠５０は構造が上述に限らず、実際のニーズに応じて変わってもよい。番号錠５０は実際のニーズに応じて省略されても、鍵に対応する錠または別の種類の錠からなってもよい。一方、鍵（私用の鍵またはＴＳＡロック機能に対応する専用の合鍵）によってシリンダー４３を回転させることができるため、回転つまみ４９は省略されてもよい。シリンダー４３はＴＳＡロックから構成されてもよい。係止機構５４と突起辺部４３５との連結方式は実際のニーズに応じて変わってもよい。例えば係止機構５４に溝部が配置されれば、突起辺部４３５は係止機構５４の溝部に入り込み、その壁面に当接することによって係止機構５４を作動させることができる。それに対し、横延長部５４３は省略されてもよい。図９に示すように、凹状部５４１は開口部の方向が上向きであるが、これに限らず下向きに変わってもよい。ロック状態が維持されると、旋転ユニット５２は凹状部５４１に入り込み、係止機構５４に嵌合される。ロック状態が解除されると、旋転ユニット５２は第一弾性ユニット５３の弾力に反発し、下へ旋転し、凹状部５４１から逸脱し、係止機構５４の移動制限を解除する。
【００１７】
以上、本考案は、上記実施形態になんら限定されるものではなく、考案の趣旨を逸脱しない範囲において種々の形態で実施可能である。
【符号の説明】
【００１８】
１：旅行かばん、  
１０：第一シェル、  
１２：収納空間、  
２０：第二シェル、  
３０：フック金具、  
３２：欠け口、  
３４：開口部、  
４０：連動式錠、  
４１：ハウジング、  
４１１：外側筐体、  
４１２：内側筐体、  
４１３：内部空間、  
４１５：穿孔、  
４１７：貫通孔、  
４３：シリンダー、  
４３１：外側端部、  
４３３：内側端部、  
４３５：突起辺部、  
４５：回転体、  
４７：連結ユニット、  
４８：桿状部、  
４８１：嵌合部、  
４９：回転つまみ、  
５０：番号錠、  
５１：番号ホイール、  
５１１：欠け口、  
５２：旋転ユニット、
５２１：凸状部、  
５３：第一弾性ユニット、  
５４：係止機構、  
５４１：凹状部、  
５４３：横延長部、  
５５：第二弾性ユニット、  
６０：ハンドル
【図１】
0003205889.tif 000003
【図２】
0003205889.tif 000004
【図３】
0003205889.tif 000005
【図４】
0003205889.tif 000006
【図５】
0003205889.tif 000007
【図６】
0003205889.tif 000008
【図７】
0003205889.tif 000009
【図８】
0003205889.tif 000010
【図９】
0003205889.tif 000011